Podtech/llm-jp-corpus-v4-ja_patent huggingface dataset:
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
所定方向に移動可能に設けられ、流体を噴射する噴射領域を有する流体噴射ヘッドと、
前記流体噴射ヘッドの待機時に前記噴射領域を覆う待機用キャップ部、前記噴射領域を覆って吸引する吸引用キャップ部、及び、前記流体噴射ヘッドから排出される前記流体を受ける流体受部が前記所定方向に沿って配列されたメンテナンス機構と、
前記メンテナンス機構上を前記所定方向に移動可能に設けられ、前記待機用キャップ部、前記吸引用キャップ部及び前記流体受部のすべてを覆わずに少なくとも１つを覆うように形成された蓋部と
を備えることを特徴とする流体噴射装置。
【請求項２】
前記蓋部は、前記吸引用キャップ部と前記流体受部とを同時に覆う
ことを特徴とする請求項１に記載の流体噴射装置。
【請求項３】
前記蓋部は、前記吸引用キャップ部と前記流体受部とを同時に覆うとともに、前記待機用キャップ部が前記噴射領域を覆う
ことを特徴とする請求項２に記載の流体噴射装置。
【請求項４】
前記蓋部は、前記待機用キャップ部のみを覆う
ことを特徴とする請求項３に記載の流体噴射装置。
【請求項５】
前記待機用キャップ部、前記吸引用キャップ部及び前記流体受部は、それぞれが独立して昇降可能に設けられている
ことを特徴とする請求項４に記載の流体噴射装置。
【請求項６】
前記吸引キャップ上を前記所定方向の交差方向に移動可能に設けられ、前記噴射面をワイピングするワイピング部
を更に備え、
前記ワイピング部は、前記蓋部の移動領域から外れた領域を移動し、
前記ワイピング部の一部は、前記蓋部の移動領域上に出没可能に設けられている
ことを特徴とする請求項５に記載の流体噴射装置。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
噴射ヘッドに設けられた噴射口から流体を噴射する流体噴射装置であって、
前記噴射ヘッドに当接して前記噴射口を取り囲む閉空間を形成するキャップと、
前記閉空間に負圧を印加することにより、前記噴射口から前記流体を吸い出す吸引ポンプと、
前記閉空間を外部と連通させることにより、該閉空間の負圧を開放する負圧開放手段と、
前記噴射ヘッドと前記キャップとを当接、離間させる移動機構と、
を備え、
前記キャップは前記噴射ヘッドに当接して前記閉空間を形成する環状の第一部材と、
前記第一部材の内側に前記第一部材より高さの低い環状の第二部材と、を備え、
前記閉空間を外部と連通させた後に前記第一部材と前記第二部材とによって形成される開口部に負圧を作用させる負圧作用手段を備える流体噴射装置。
【請求項２】
請求項１に記載の流体噴射装置であって、
前記第二部材の高さは、前記噴射ヘッドと前記キャップとが当接した状態において、前記噴射ヘッドに付着した前記液体と前記第二部材とが接する高さである流体噴射装置。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
血管間又は血管内医療器具と、
血管間又は血管内医療器具を被覆し、１以上のエラストマブロック及び１以上の熱可塑性ポリオレフィンブロックを含む生体適合性を有するブロックコポリマを有するコーティングとを備え、
上記ポリオレフィンブロックの量は、ブロックコポリマの９５〜４５モル％の範囲内であることを特徴とする、被覆された医療器具。
【請求項２】
上記１以上の熱可塑性ブロックは、ビニル芳香族ブロック及びメタクリル酸ブロックから選択されることを特徴とする請求項１記載の被覆された医療機器。
【請求項３】
上記ブロックコポリマは、Ａをエラストマブロックとし、Ｂを熱可塑性ブロックとし、ｎを正の自然数とし、Ｘを触媒シード分子として、Ｘ−（ＡＢ）nとして表されることを特徴とする、請求項１に記載の被覆された医療機器。
【請求項４】
上記Ａは、ポリオレフィンブロックであり、上記Ｂは、ビニル芳香族ブロック又はメタクリル酸ポリマブロックのいずれかであることを特徴とする、請求項３に記載の被覆された医療機器。
【請求項５】
上記Ｂは、メタクリル酸メチル、メタクリル酸エチル、メタクリル酸ヒドロキシエチルから選択される１以上のモノマであることを特徴とする、請求項４に記載の被覆された医療機器。
【請求項６】
上記Ａは、Ｒ及びＲ'を直鎖状又は分岐状脂肪族基、又は環状脂肪族基とし、一般式−（ＣＲＲ'−ＣＨ2）n−として表されるポリオレフィンブロックであり、上記Ｂは、ビニル芳香族ポリマブロックであることを特徴とする、請求項４に記載の被覆された医療機器。
【請求項７】
上記ポリオレフィンブロックは、イソブチレンモノマを含み、上記ビニル芳香族ポリマブロックは、スチレン及びα−メチルスチレンから選択される１以上のモノマを含むことを特徴とする請求項６に記載の被覆された医療機器。
【請求項８】
上記ブロックコポリマの分子量は、８００００〜３０００００ダルトンの範囲内であることを特徴とする、請求項６に記載の被覆された医療機器。
【請求項９】
上記ポリオレフィンブロックの分子量は、６００００〜２０００００ダルトンの範囲内であり、上記ビニル芳香族ポリマブロックの分子量は、２００００〜１０００００ダルトンの範囲内であることを特徴とする、請求項６に記載の被覆された医療機器。
【請求項１０】
前記血管間又は血管内医療器具がバルーン、ステント、シャント、カテーテル、ステント植皮、血管移植片、血管パッチ、シャントおよびフィルターから選択されることを特徴とする、請求項１に記載の被覆された医療機器。
【請求項１１】
コーティングの厚みが０．１〜５０ミクロンである、請求項１に記載の被覆された医療機器。
【請求項１２】
前記コーティングがバリア層ではない請求項１に記載の被覆された医療機器。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
遊技媒体が通過可能な第１領域と、
前記遊技媒体が通過可能であり、前記第１領域よりも前記遊技媒体が通過する確率が高い第２領域と、
前記遊技媒体が前記第１領域を通過したことにもとづいて、識別情報を可変表示する可変表示装置と、
を備え、
前記可変表示装置に表示された識別情報の表示結果が予め定められた特定表示結果のときに遊技者にとって有利な特定遊技状態に制御され、
所定の移行条件が成立した場合に、前記特定遊技状態の発生確率が通常状態よりも高い特別遊技状態に制御される遊技機であって、
遊技状態が前記特別遊技状態のときと前記通常状態のときとで共通の遊技演出を実行する特別モードに移行させるモード移行手段と、
前記特別モード中において前記遊技媒体が前記第２領域を通過したことにもとづいて、特定演出を実行するか否かを選択する特定演出選択手段と、
前記特定演出選択手段により選択された前記特定演出を実行する特定演出実行手段と、
を有してなり、
前記特定演出選択手段は、遊技状態が前記特別遊技状態のときと前記通常状態のときとで、前記特定演出を実行するか否かを異なる割合で選択する、
ことを特徴とする遊技機。
【手続補正２】
【補正対象書類名】明細書
【補正対象項目名】００１０
【補正方法】変更
【補正の内容】
【００１０】
本発明にかかる遊技機は、遊技媒体が通過可能な第１領域（例えば、第１始動入賞口１３や第２始動入賞口１４）と、遊技媒体が通過可能であり、第１領域よりも遊技媒体が通過する確率が高い第２領域（例えば、ゲート３２）と、遊技媒体が第１領域を通過したことにもとづいて、識別情報を可変表示する可変表示装置（例えば、演出表示装置９）と、を備え、可変表示装置に表示された識別情報（例えば、飾り図柄）の表示結果が予め定められた特定表示結果（例えば、大当り図柄）のときに遊技者にとって有利な特定遊技状態（例えば、大当り遊技状態）に制御され、所定の移行条件（例えば、確変大当たり）が成立した場合に、特定遊技状態の発生確率が通常状態よりも高い特別遊技状態（例えば、大当り遊技後の確変状態）に制御される遊技機であって、遊技状態が特別遊技状態のときと通常状態のときとで共通の遊技演出を実行する特別モード中（例えば、確変潜伏状態または低確率状態のいずれかである潜伏モード中）に移行させるモード移行手段（例えば、遊技制御用マイクロコンピュータ５６０におけるステップＳ４５９，Ｓ４６０の処理を実行する部分）と、特別モードにおいて遊技媒体が第２領域を通過したことにもとづいて、特定演出（例えば、図２１や図２２に例示する演出）を実行するか否かを選択する特定演出選択手段（例えば、演出制御用マイクロコンピュータ１００におけるステップＳ８２３の処理を実行する部分）と、特定演出選択手段により選択された特定演出を実行する特定演出実行手段（例えば、演出制御用マイクロコンピュータ１００におけるステップＳ８２４，Ｓ８２５の処理を実行する部分）と、を有してなり、特定演出選択手段は、遊技状態が特別遊技状態（例えば、確変潜伏状態）のときと通常状態（例えば、低確率状態）のときとで、特定演出を実行するか否かを異なる割合で選択する（例えば、演出制御用マイクロコンピュータ１００におけるステップＳ８２３の処理において、図４４（Ａ）（Ｂ）に例示する可変可能性報知態様決定テーブル１７２を用いる）ことを特徴とする。
【手続補正３】
【補正対象書類名】明細書
【補正対象項目名】００１１
【補正方法】変更
【補正の内容】
【００１１】
この構成により、特別モードにおいて、識別情報を可変表示させるための条件よりも成立する確率の高い条件である遊技媒体が第２領域を通過したことにもとづいて、特定演出を実行することができ、しかも、遊技状態が特別遊技状態のときと通常状態のときとで、特定演出を実行するか否かを異なる割合で選択することができるため、たとえ、識別情報が可変表示されていない状況でも、大当り遊技の開始や確変状態への移行に対する期待を遊技者に与えることができる。その結果、遊技者が遊技を中断することなく遊技媒体を遊技領域に向けて発射する操作を行うこと、すなわち、遊技機の稼働率の向上を期待することができる。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
インナーノズル部および内周に雌ねじを有する外壁を備えた流体ポートに被冠される、頭部と、前記頭部から突出した円筒部と、前記円筒部外周に前記雌ねじに螺合される形状の雄ねじとを備え、前記円筒部の内周面にシール部が形成された栓体であって、前記シール部は、少なくとも１つのインナーノズル接触部および前記接触部よりも頭部方向に非ノズル接触部を有し、前記非ノズル接触部が、前記ノズル部の先端開口端から根元方向に垂直距離で０．５ｍｍ〜８．０ｍｍ離れた位置までの範囲に相対する範囲に形成されたことを特徴とする栓体。
【請求項２】
前記円筒部の材質が硬質プラスチックで、前記シール部の材質が弾性材料であり、両者が一体に成形されたことを特徴とする請求項１に記載の栓体。
【請求項３】
インナーノズル部および内周に雌ねじを有する外壁を備えた流体ポートを有する医療用具であって、請求項１または２に記載の栓体が前記流体ポートに挿入されたことを特徴とする医療用具。
【手続補正２】
【補正対象書類名】明細書
【補正対象項目名】００１２
【補正方法】変更
【補正の内容】
【００１２】
上記目的を達成する本発明の栓体は、下記の構成からなる。
１．  インナーノズル部および内周に雌ねじを有する外壁を備えた流体ポートに被冠される、頭部と、前記頭部から突出した円筒部と、前記円筒部外周に前記雌ねじに螺合される形状の雄ねじとを備え、前記円筒部の内周面にシール部が形成された栓体であって、前記シール部は、少なくとも１つのインナーノズル接触部および前記接触部よりも頭部方向に非ノズル接触部を有し、前記非ノズル接触部が、前記ノズル部の先端開口端から根元方向に垂直距離で０．５ｍｍ〜８．０ｍｍ離れた位置までの範囲に相対する範囲に形成されたことを特徴とする栓体。
２．  前記円筒部の材質が硬質プラスチックで、前記シール部の材質が弾性材料であり、両者が一体に成形されたことを特徴とする前記１に記載の栓体。
３．  インナーノズル部および内周に雌ねじを有する外壁を備えた流体ポートを有する医療用具であって、前記１または２に記載の栓体が前記流体ポートに挿入されたことを特徴とする医療用具。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示手段を備え、前記識別情報の表示結果に基づいて所定の遊技価値が付与可能となる遊技機であって、
所定の初期設定を実行した後、不揮発性メモリの記憶内容に基づき遊技機における遊技制御を実行する制御用ＣＰＵが内蔵された遊技制御用マイクロコンピュータと、
前記遊技制御用マイクロコンピュータに内蔵又は外付けされ、乱数値となる数値データを生成する乱数回路とを備え、
前記乱数回路は、
数値データを予め定められた手順により更新して出力する数値更新手段と、
前記数値更新手段から出力された数値データを乱数値として取り込んで格納する乱数値格納手段とを含み、
前記遊技制御用マイクロコンピュータは、
前記乱数回路によって生成された乱数値に基づいて、前記制御用ＣＰＵにより所定の決定を行う制御決定手段と、
所定信号の入力に基づいて前記数値更新手段から出力された数値データが前記乱数値格納手段に格納されたときにオン状態にされて新たな数値データの格納を制限する一方、前記乱数値格納手段に格納された数値データが乱数値の読出タイミングにて前記制御用ＣＰＵにより読み出されたときにオフ状態にされて新たな数値データの格納を許可する所定のフラグと、
前記制御用ＣＰＵによる遊技制御が開始されるときに、前記所定のフラグをオフ状態にする制御開始時処理手段と、
前記所定の初期設定において前記不揮発性メモリの記憶内容が変更されたか否かを検査するセキュリティチェックを実行するセキュリティチェック手段と、
前記セキュリティチェック手段によるセキュリティチェックの実行時間を可変設定可能なセキュリティ時間設定手段とを含む、
ことを特徴とする遊技機。
【手続補正書】
【提出日】平成23年11月10日(2011.11.10)
【手続補正１】
【補正対象書類名】特許請求の範囲
【補正対象項目名】請求項３
【補正方法】変更
【補正の内容】
【請求項３】
前記相関関係による敏感肌の程度（健常指数）の推定は、春、夏、秋、冬の４季に於いて、次の式で健常指数を算出することにより行うことを特徴とする、請求項１又は２に記載の敏感肌の鑑別法。
＜春：３〜５月＞ （健常指数）＝０．０２１７＊（配列規則性）＋２．４５１１
＜夏：６〜８月＞ （健常指数）＝０．０３４５＊（配列規則性）＋２．４６８９
＜秋：９〜１１月＞ （健常指数）＝０．０３８１＊（配列規則性）＋２．４５２４
＜冬：１２〜２月＞ （健常指数）＝０．０２７５＊（配列規則性）＋２．４６７６
【手続補正２】
【補正対象書類名】特許請求の範囲
【補正対象項目名】請求項５
【補正方法】変更
【補正の内容】
【請求項５】
請求項１〜４の何れかによって鑑別された敏感肌の程度（健常指数）を指標とすることを特徴とする、化粧料の選択法。
【手続補正３】
【補正対象書類名】明細書
【補正対象項目名】０００５
【補正方法】変更
【補正の内容】
【０００５】
【特許文献１】特開平１０−１４２２２４号公報
【特許文献２】特開平１１−３０４７９８号公報
【特許文献３】特開２０００−１１６６２３号公報
【特許文献４】特開２００１−１０８６７４号公報
【特許文献５】特開２００４−０９７４３６号公報
【特許文献６】特開２００１−０１３１３８号公報
【手続補正４】
【補正対象書類名】明細書
【補正対象項目名】０００７
【補正方法】変更
【補正の内容】
【０００７】
この様な状況を鑑みて、本発明者らは、敏感肌の程度を客観的、高精度且つ的確に推定する技術を求めて鋭意研究努力を重ねた結果、年間や季節毎の、角層細胞の配列規則性と敏感肌の程度との相関関係に基づいて、敏感肌の程度を客観的且つ高精度に推定できることを見い出し、発明を完成させるに至った。即ち、本発明は、以下に示す技術に関する。
（１）敏感肌の鑑別法であって、採取された角層細胞の配列規則性を指標に敏感肌の程度（健常指数）を推定することを特徴とする、敏感肌の鑑別法。
（２）季節毎の、角層細胞の配列規則性と敏感肌の程度（健常指数）との相関関係に基づいて、敏感肌の程度（健常指数）を推定することを特徴とする、（１）に記載の敏感肌の鑑別法。
（３）  前記相関関係による敏感肌の程度（健常指数）の推定は、春、夏、秋、冬の４季に於いて、次の式で健常指数を算出することにより行うことを特徴とする、請求項１又は２に記載の敏感肌の鑑別法。
＜春：３〜５月＞ （健常指数）＝０．０２１７＊（配列規則性）＋２．４５１１
＜夏：６〜８月＞ （健常指数）＝０．０３４５＊（配列規則性）＋２．４６８９
＜秋：９〜１１月＞ （健常指数）＝０．０３８１＊（配列規則性）＋２．４５２４
＜冬：１２〜２月＞ （健常指数）＝０．０２７５＊（配列規則性）＋２．４６７６
（４）角層細胞の配列規則性の年間変動と敏感肌の程度（健常指数）との相関関係に基づいて敏感肌の程度（健常指数）を推定することを特徴とする、（１）に記載の敏感肌の鑑別法。
（５）（１）〜（４）の何れかによって鑑別された敏感肌の程度（健常指数）を指標とすることを特徴とする、化粧料の選択法。
【手続補正５】
【補正対象書類名】明細書
【補正対象項目名】００１２
【補正方法】変更
【補正の内容】
【００１２】
角層細胞の配列規則性の評価は、以下のように定法に従って行えばよい。即ち、顔の頬等の部位より粘着テープ等を用いて、ストリッピングにより角層細胞を採取した後、ゲンチアナバイオレット等の染色剤を用いて染色、又は非染色にて、デジタル式マイクロスコープやデジタルカメラ等の市販の機器を用いて拡大イメージ画像として取り込んだ後、配列規則性を評価する。前記配列規則性とは、角層細胞の大きさが揃っておりそのバラツキが少ないことと、細胞個々の形状が形の崩れていない六角形構造をしっかり維持し角層細胞同士の配列が規則的であることとを、どの程度満たしているかということで定義される。該配列規則性を評価するには、予め、配列規則性のレベルを設定し、各種レベルの標準画像を複数揃えた標準セットを作製し、これらとの比較によって、例えば、配列規則性が良い（評点４）〜配列規則性が悪い（評点１）のようにランク付けることができる（図１参照）。かような標準セットを作製するには、各年代、男女別、各季節毎及び各都道府県別等のバラツキを考慮して、少なくとも１,０００人以上のデータ、好ましくは１０，０００人以上の採取された角層細胞を基に為されることが望ましい。
【手続補正書】
【提出日】平成23年11月18日(2011.11.18)
【手続補正１】
【補正対象書類名】明細書
【補正対象項目名】００５２
【補正方法】変更
【補正の内容】
【００５２】
図４および図５に例示の駆動部５２は、上記の端子３０１〜３０７に加えて、電圧供給部３６０と、電圧印加制御部３３０と、制御部３４０とをさらに含んでいる。なお、以下の説明では、電圧印加制御部３３０を第２電圧印加制御部３３０とも称する。
【手続補正２】
【補正対象書類名】明細書
【補正対象項目名】００５４
【補正方法】変更
【補正の内容】
【００５４】
ここで駆動部５２に第１サーマルヘッド５１Ａが接続された場合（図４参照）、電圧供給部３６０が接続されている端子３０１は、端子１０１と、電圧印加制御部１３０と、発熱部１２０と、端子１０６とを介して、駆動部５２の端子３０６に接続される。当該端子３０６は接地されている。これにより、第１サーマルヘッド５１Ａのスイッチング部１３１〜１３３がオン状態のときに、抵抗素子１２１〜１２３は駆動電圧が印加されて発熱する。
【手続補正３】
【補正対象書類名】明細書
【補正対象項目名】００５５
【補正方法】変更
【補正の内容】
【００５５】
電圧印加制御部３３０は、ここではスイッチング部３３１で構成される場合が例示される。スイッチング部３３１は、図４および図５では回路記号で模式的に図示しているが、入力される制御信号に基づいてスイッチング動作を実現可能な各種の素子や回路によって構成される。スイッチング部３３１は、一端が端子３０７に接続され、他端が接地されている。すなわち、端子３０７は電圧印加制御部３３０を介して接地されている。スイッチング部３３１のオン／オフ制御は後述のように制御部３４０によって行われる。
【手続補正４】
【補正対象書類名】明細書
【補正対象項目名】００５６
【補正方法】変更
【補正の内容】
【００５６】
ここで駆動部５２に第２サーマルヘッド５１Ｂが接続された場合（図５参照）、電圧供給部３６０が接続されている端子３０１は、端子２０１と、発熱部２２０と、端子２０７とを介して、駆動部５２の端子３０７に接続される。当該端子３０７は、上記のように、電圧印加制御部３３０を介して接地されている。これにより、スイッチング部３３１がオン状態の場合に、抵抗素子２２１は駆動電圧が印加されて発熱する。
【手続補正５】
【補正対象書類名】明細書
【補正対象項目名】００５７
【補正方法】変更
【補正の内容】
【００５７】
このように、熱転写プリンタ１では、第２サーマルヘッド５１Ｂの発熱部２２０を駆動する電圧印加制御部３３０は、当該サーマルヘッド５１Ｂの外部である駆動部５２内に設けられている。
【手続補正６】
【補正対象書類名】明細書
【補正対象項目名】００６２
【補正方法】変更
【補正の内容】
【００６２】
制御部３４０は、第１サーマルヘッド５１Ａが接続されていると判断した場合（図４参照）、第１電圧印加制御部１３０用の制御信号Ｓ１を生成し、配線３５２〜３５４を介して端子３０２〜３０４へ伝達する。配線３５２〜３５４は、制御部３４０に接続されているとともに、端子３０２〜３０４にそれぞれ接続されている。
【手続補正７】
【補正対象書類名】明細書
【補正対象項目名】００６７
【補正方法】変更
【補正の内容】
【００６７】
上記に対し、制御部３４０は、第２サーマルヘッド５１Ｂが接続されていると判断した場合（図５参照）、第２電圧印加制御部３３０用の制御信号Ｓ２を生成して出力する。駆動部５２では、上記の配線３５２〜３５４のうちの１本の配線（ここでは配線３５２を例示する）が分岐して第２電圧印加制御部３３０にも接続されており、制御信号Ｓ２の伝達にも利用される。
【手続補正８】
【補正対象書類名】図面
【補正対象項目名】図４
【補正方法】変更
【補正の内容】
【図４】
2010194736.tif 000001
【手続補正９】
【補正対象書類名】図面
【補正対象項目名】図５
【補正方法】変更
【補正の内容】
【図５】
2010194736.tif 000002
【手続補正書】
【提出日】平成24年2月22日(2012.2.22)
【手続補正１】
【補正対象書類名】明細書
【補正対象項目名】発明の名称
【補正方法】変更
【補正の内容】
【発明の名称】被加工物の製造方法
【手続補正２】
【補正対象書類名】明細書
【補正対象項目名】０００１
【補正方法】変更
【補正の内容】
【０００１】
本発明は、光学素子や、光学素子を成形する金型などの被加工物表面を荷電粒子ビームによって高精度に加工する被加工物の製造方法に関するものである。
【手続補正３】
【補正対象書類名】明細書
【補正対象項目名】０００９
【補正方法】変更
【補正の内容】
【０００９】
本発明は、加工時間短縮のために平行して複数の荷電粒子ビーム加工を行うことを可能とする被加工物の製造方法を提供することを目的とするものである。
【手続補正４】
【補正対象書類名】明細書
【補正対象項目名】００１０
【補正方法】変更
【補正の内容】
【００１０】
上記目的を達成するため、本発明による被加工物の製造方法は、複数の荷電粒子ビームを被加工物表面に対して同じ相対運動をさせながら同時に照射して加工を行う荷電粒子ビーム加工方法において、前記複数の荷電粒子ビームのうちの第１の荷電粒子ビームを用いて、前記相対運動の速度を可変制御することによって被加工物表面の形状修正加工を行い、前記複数の荷電粒子ビームのうちの第２の荷電粒子ビームを用いて、被加工物表面の単位面積に対する到達粒子数を一定に保つように、前記相対運動の速度変化に応じて前記第２の荷電粒子ビームを可変制御することによって被加工物表面の平滑化加工を行うことを特徴とする。
【手続補正５】
【補正対象書類名】明細書
【補正対象項目名】００１９
【補正方法】変更
【補正の内容】
【００１９】
本発明の被加工物の製造方法としてのイオンビーム加工方法の実施例を図面に基づいて説明する。
【手続補正６】
【補正対象書類名】特許請求の範囲
【補正対象項目名】全文
【補正方法】変更
【補正の内容】
【特許請求の範囲】
【請求項１】
複数の荷電粒子ビームを被加工物表面に対して同じ相対運動をさせながら同時に照射して加工を行う被加工物の製造方法において、
前記複数の荷電粒子ビームのうちの第１の荷電粒子ビームを用いて、前記相対運動の速度を可変制御することによって被加工物表面の形状修正加工を行い、
前記複数の荷電粒子ビームのうちの第２の荷電粒子ビームを用いて、被加工物表面の単位面積に対する到達粒子数を一定に保つように、前記相対運動の速度変化に応じて前記第２の荷電粒子ビームを可変制御することによって被加工物表面の平滑化加工を行うことを特徴とする被加工物の製造方法。
【請求項２】
前記第２の荷電粒子ビームの可変制御は、前記第２の荷電粒子ビームの照射時間のパルス制御によって行うことを特徴とする請求項１に記載の被加工物の製造方法。
【請求項３】
前記第２の荷電粒子ビームの可変制御は、前記第２の荷電粒子ビームの電流量の制御によって行うことを特徴とする請求項１に記載の被加工物の製造方法。
【請求項４】
前記第２の荷電粒子ビームは２０〜５００ｅＶの低エネルギーであることを特徴とする請求項１ないし３のいずれかに記載の被加工物の製造方法。
【請求項５】
前記第１の及び前記第２の荷電粒子ビームの照射位置において、前記相対運動の方向に対して前記第１の荷電粒子ビームの後方に前記第２の荷電粒子ビームのビーム中心があることを特徴とする請求項１ないし３のいずれかに記載の被加工物の製造方法。
【請求項６】
前記被加工物は、光学素子または光学素子を成形するための金型であることを特徴とする請求項１ないし５のいずれかに記載の被加工物の製造方法。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
被処理液を貯留した処理槽内に浸漬設置される分離膜モジュールと、該分離膜モジュールの下方に配設されかつ２箇所の接続口（ａ・ｂ）を持つ散気装置と、該散気装置へ気体供給管を介して気体を供給する気体供給装置とを備えた浸漬型膜分離装置において、１台の処理槽に少なくとも１台の散気装置を配置する際に、気体供給管として２本のヘッダ管（Ａ、Ｂ）を設置し、各散気装置の接続口ａとヘッダ管Ａ、接続口ｂとヘッダ管Ｂを各々接続し、ヘッダ管Ａ・Ｂと最初の散気装置の接続箇所よりも上流側（Ａ１・Ｂ１）およびヘッダ管Ａ・Ｂと最後の散気装置の接続箇所よりも下流側（Ａ２・Ｂ２）の４箇所に１個ずつ開閉弁が配され、さらにヘッダ管Ａ・Ｂの下流側末端部が大気開放されている浸漬型膜分離装置における散気装置を洗浄する方法であって、ろ過運転が停止かつ気体供給装置が駆動している状態で、開閉弁Ａ１・Ｂ２が開かつ開閉弁Ｂ１・Ａ２が閉の状態（弁状態１）、および開閉弁Ａ１・Ｂ２が閉かつ開閉弁Ｂ１・Ａ２が開の状態（弁状態２）を交互に設け、さらに全ての開閉弁が開となる状態（弁状態３）を設けることを特徴とする、散気装置の洗浄方法。
【請求項２】
弁状態３を弁状態１および２の前後、および弁状態１、２の切替中に設けることを特徴とする、請求項１に記載の散気装置の洗浄方法。
【請求項３】
請求項１または２に記載の散気装置の洗浄方法を間欠的に実施しながら、被処理液の膜分離を行うことを特徴とする、膜分離方法。
【手続補正２】
【補正対象書類名】明細書
【補正対象項目名】発明の名称
【補正方法】変更
【補正の内容】
【発明の名称】散気装置の洗浄方法および膜分離方法
【手続補正３】
【補正対象書類名】明細書
【補正対象項目名】００１１
【補正方法】変更
【補正の内容】
【００１１】
前記課題を解決するために、本発明は次の構成をとる。
（１）被処理液を貯留した処理槽内に浸漬設置される分離膜モジュールと、該分離膜モジュールの下方に配設されかつ２箇所の接続口（ａ・ｂ）を持つ散気装置と、該散気装置へ気体供給管を介して気体を供給する気体供給装置とを備えた浸漬型膜分離装置において、１台の処理槽に少なくとも１台の散気装置を配置する際に、気体供給管として２本のヘッダ管（Ａ、Ｂ）を設置し、各散気装置の接続口ａとヘッダ管Ａ、接続口ｂとヘッダ管Ｂを各々接続し、ヘッダ管Ａ・Ｂと最初の散気装置の接続箇所よりも上流側（Ａ１・Ｂ１）およびヘッダ管Ａ・Ｂと最後の散気装置の接続箇所よりも下流側（Ａ２・Ｂ２）の４箇所に１個ずつ開閉弁が配され、さらにヘッダ管Ａ・Ｂの下流側末端部が大気開放されている浸漬型膜分離装置における散気装置を洗浄する方法であって、ろ過運転が停止かつ気体供給装置が駆動している状態で、開閉弁Ａ１・Ｂ２が開かつ開閉弁Ｂ１・Ａ２が閉の状態（弁状態１）、および開閉弁Ａ１・Ｂ２が閉かつ開閉弁Ｂ１・Ａ２が開の状態（弁状態２）を交互に設け、さらに全ての開閉弁が開となる状態（弁状態３）を設けることを特徴とする、散気装置の洗浄方法。
（２）弁状態３を弁状態１および２の前後、および弁状態１、２の切替中に設けることを特徴とする、前記（１）に記載の散気装置の洗浄方法。
（３）前記（１）または（２）に記載の散気装置の洗浄方法を間欠的に実施しながら、被処理液の膜分離を行うことを特徴とする、膜分離方法。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
被検体の肺領域を含む３次元画像を表示する表示部を備えた画像支援診断装置において、
前記表示部に表示された３次元画像上に前記被検体の少なくとも一つの肥厚部の位置を入力する入力部と、該入力部により入力された位置の肥厚部を含む断層像を生成する断層像生成部と、前記断層像上において、前記肥厚部の胸壁に沿った広がりを評価する評価部を備えたことを特徴とする画像支援診断装置。
【請求項２】
前記評価部において評価する前記広がりは、前記肺領域の左右いずれかの中心位置を中心として前記肥厚部の両端を見込む角度で表されることを特徴とする請求項１記載の画像支援診断装置。
【請求項３】
前記入力部により入力される位置は１箇所であり、前記断層像は前記被検体の体軸に垂直な平面上の断層像であることを特徴とする請求項１記載の画像支援診断装置。
【請求項４】
前記入力部により入力される位置は２箇所であり、前記断層像は２箇所を通る平面上の断層像であることを特徴とする請求項１記載の画像支援診断装置。
【請求項５】
前記評価部は、前記断層像中から胸壁を抽出する胸壁抽出部と、前記胸壁に沿って肥厚部を抽出する肥厚部抽出部を備えたことを特徴とする請求項１記載の画像支援診断装置。
【請求項６】
前記胸壁抽出部は、前記断層上で、肋骨の内側の位置をスプライン補間で繋げることにより、前記胸壁を抽出することを特徴とする請求項５記載の画像支援診断装置。
【請求項７】
前記評価部は、前記肥厚部抽出部により抽出した肥厚部の前記胸壁から内側への厚さを肥厚部厚計測部により測定し、該厚さが所定より厚い部分の胸壁に沿った長さにより、前記広がりを評価することを特徴とする請求項５記載の画像支援診断装置。
【請求項８】
前記評価部は、前記肥厚部抽出部により抽出した肥厚部の前記胸壁から内側への厚さを測定し、該厚さが所定より厚い部分の前記肺領域の左右いずれかの中心位置を中心とした見込む角度により、前記広がりを表すことを特徴とする請求項５記載の画像支援診断装置。
【請求項９】
前記３次元画像は、前記被検体の肺野領域の３次元画像を体軸に沿った平面で切断した1方を被検体の内側から見た３次元画像であることを特徴とする請求項１記載の画像支援診断装置。
【請求項１０】
前記３次元画像は、前記被検体の肺野領域を被検体の外側から見た３次元画像であることを特徴とする請求項１記載の画像支援診断装置。
【請求項１１】
（１）被検体の肺領域を含む３次元画像を表示するステップを備えた画像支援診断方法において、
（２）前記ステップ（１）により表示された３次元画像上に前記被検体の少なくとも一つの肥厚部の位置を入力するステップと、
（３）前記ステップ（２）により入力された位置の肥厚部を含む断層像を生成するステップと、
（４）前記断層像上において、前記肥厚部の肺壁に沿った広がりを評価するステップを備えたことを特徴とする画像支援診断方法。
【手続補正２】
【補正対象書類名】明細書
【補正対象項目名】０００３
【補正方法】変更
【補正の内容】
【０００３】
更にアスベストによる病変として、中皮腫の前兆であるプラ-クや胸膜肥厚は、X線CT装置により得られる断層像によっても診断できる。医師は、肺壁や胸壁の壁厚の異常を画像上で計測することにより、目視によって患者のアスベストの肺への蓄積や疾患を診断している。
【手続補正３】
【補正対象書類名】明細書
【補正対象項目名】０００７
【補正方法】変更
【補正の内容】
【０００７】
上記目的は、被検体の肺領域を含む3次元画像を表示する表示部を備えた画像支援診断装置において、
前記表示部に表示された3次元画像上に前記被検体の少なくとも一つの肥厚部の位置を入力する入力部と、該入力部により入力された位置の肥厚部を含む断層像を生成する断層像生成部と、前記断層像上において、前記肥厚部の肺壁に沿った広がりを評価する評価部を備えたことを特徴とする画像支援診断装置によって達成される。
【手続補正４】
【補正対象書類名】明細書
【補正対象項目名】００２０
【補正方法】変更
【補正の内容】
【００２０】
(ステップ32)
ステップ31で表示した画面上で、操作者は肺の内壁を観察して肥厚部の位置を肥厚部の所望の箇所を指定点27aと27b、あるいは27cと27dにより指定するとして上記入力部により入力する。ただし、1つの肥厚部内で指定する箇所は1箇所でも2箇所でも良い。2箇所の場合は、肥厚部のモニタ画面上での右端と左端でも良い。また、上記指定点27aと27b、あるいは27cと27dの3次元座標上での位置は、例えば2次元のモニタ上に指定された指定点が所定の平面(例えば27aと27b、あるいは27cと27dを通り画面に垂直な平面)上に位置していると仮定して計算する。例えば、図4(a)について指定点27aについて(xa,ya,za)、指定点27bについて(xb,yb,zb)のように求める。
【手続補正５】
【補正対象書類名】明細書
【補正対象項目名】００３７
【補正方法】変更
【補正の内容】
【００３７】
(ステップ54)
ステップ53で表示した画面上で、操作者は肺の外壁を観察して肥厚部の位置を肥厚部の所望の箇所を指定点52a〜52ｄにより指定するとして上記入力部により入力する。ただし、1つの肥厚部内で指定する箇所は1箇所でも2箇所でも良い。2箇所の場合は、肥厚部のモニタ画面上での右端と左端でも良い。また、上記指定点52a〜52ｄの3次元座標上での位置は、例えば2次元のモニタ上に指定された指定点が所定の平面(体軸に垂直な平面)上に位置していると仮定して計算する。例えば、図7(a)について指定点52aについて(xa,ya,za)、指定点52bについて(xb,yb,zb)のように求める。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
研磨パッド用樹脂板の歪み取り装置であって、研磨パッド用樹脂板を加熱する機構、研磨パッド用樹脂板を減圧機構と多孔質吸着板によって吸着して固定する機構、および研磨パッド用樹脂板を吸着したまま冷却を行う機構を有することを特徴とする研磨パッド用樹脂板の歪み取り装置。
【請求項２】
該研磨パッド用樹脂板を吸着したまま冷却する機構が送風機構である請求項１に記載の研磨パッド用樹脂板の歪み取り装置。
【請求項３】
研磨パッド用樹脂板を加熱し、研磨パッド用樹脂板を減圧機構と多孔質吸着板によって吸着して固定し、研磨パッド用樹脂板を吸着したまま冷却する研磨パッド用樹脂板の歪み取り方法であって、研磨パッド用樹脂板の加熱温度が７０℃以上１３０℃以下である研磨パッド用樹脂板の歪み取り方法。
【手続補正２】
【補正対象書類名】明細書
【補正対象項目名】００１１
【補正方法】変更
【補正の内容】
【００１１】
上記課題の解決に本発明は以下の構成からなる。
「（１）研磨パッド用樹脂板を加熱する機構、研磨パッド用樹脂板を減圧機構と多孔質吸着板によって吸着して固定する機構、および研磨パッド用樹脂板を吸着したまま冷却を行う機構を有することを特徴とする研磨パッド用樹脂板の歪み取り装置。
（２）研磨パッド用樹脂板を加熱し、研磨パッド用樹脂板を減圧機構と多孔質吸着板によって吸着して固定し、研磨パッド用樹脂板を吸着したまま冷却する研磨パッド用樹脂板の歪み取り方法であって、研磨パッド用樹脂板の加熱温度が７０℃以上１３０℃以下である研磨パッド用樹脂板の歪み取り方法。」
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
被検者に装着される装着体と、該装着体に配され、該被検者の生体動態を測定する測定部とを備える生体動態測定装置であって、
前記装着体は、
前記被検者に装着した状態で、前記被検者の測定部位に接触する凸状の接触面と、
前記被検者の測定部位を含む装着部位全体の外周面を把持するよう、前記接触面の側面から延びる２つの把持曲面を有しており、かつ、該２つの把持曲面が径方向に弾性変形することで、該装着部位の径に応じて拡径可能である巻き付け部と、を備え、
前記巻き付け部が有する２つの把持曲面は、それぞれ、巻き付け方向に沿ってスリットが設けられており、該スリットを介して隣り合う把持曲面は、互いに異なる曲率を有しており、
前記測定部は、
前記巻き付け部に配され、外部からの送信された電磁波を受信するアンテナ部と、
前記接触面に配され、前記アンテナ部が電磁波を受信することで発生した誘導起電力により起動する制御部により制御される感温部を含むＩＣタグ部と
を備えることを特徴とする生体動態測定装置。
【請求項２】
前記アンテナ部は、前記スリットを介して隣り合う把持曲面のうち、曲率の大きい把持曲面に配されていることを特徴とする請求項１に記載の生体動態測定装置。
【請求項３】
前記感温部は、更に、
Ｐ型とＮ型の２種類の半導体が結合され、該２種類の半導体の結合部に電流を流した場合のバンドギャップ電圧を検出する半導体温度センサが、２個以上並列に接続された検出部と、
前記検出部により検出されるバンドギャップ電圧を校正するための校正データを記憶する記憶部と、を備え、
前記制御部の起動に伴って、前記検出部により検出されたバンドギャップ電圧を、前記校正データとともに、前記アンテナ部を介して送信するよう構成されていることを特徴とする請求項１または２に記載の生体動態測定装置。
【請求項４】
前記ＩＣタグ部は、更に、前記被検者の体表面の湿度を測定する湿度検出部と、前記被検者の体動を検出する体動検出部を備えることを特徴とする請求項３に記載の生体動態測定装置。
【請求項５】
前記検出部は、前記半導体温度センサを６〜１０個備え、前記各半導体温度センサの結合部におけるバンドギャップ電圧の平均値を検出することを特徴とする請求項３または４に記載の生体動態測定装置。
【請求項６】
前記制御部は、前記アンテナ部における誘導起電力の発生に伴って温度上昇があった場合に、前記制御部の起動に伴う制御を停止することを特徴とする請求項３乃至５のいずれか１項に記載の生体動態測定装置。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
略青色光を発する複数のＬＥＤ素子と、該複数のＬＥＤ素子を覆い且つ該複数のＬＥＤ素子の間に充填され、該複数のＬＥＤ素子からの光により励起されて蛍光を発する蛍光物質とから構成され、被検眼に可視光を照明する照明手段と、
前記被検眼からの戻り光に基づいて該被検眼を撮像する撮像手段と、
を有することを特徴とする眼科撮影装置。
【請求項２】
前記複数のＬＥＤ素子それぞれは、青色光と該青色光より短波長の光とのうち少なくとも一方を発することを特徴とする請求項１に記載の眼科撮影装置。
【請求項３】
前記複数のＬＥＤ素子は、複数の青色発光ＬＥＤ素子であり、
前記照明手段は、前記複数の青色発光ＬＥＤ素子の間に設けられた近赤外光を発する複数の赤外発光ＬＥＤ素子を有することを特徴とする請求項１あるいは２に記載の眼科撮影装置。
【請求項４】
前記蛍光物質は、前記複数の赤外発光ＬＥＤ素子を覆い、
前記複数の赤外発光ＬＥＤからの近赤外光は、前記蛍光物質を透過して前記被検眼に照明されることを特徴とする請求項３に記載の眼科撮影装置。
【請求項５】
前記照明手段は、発光方向と反対側に放熱のための放熱手段を有することを特徴とする請求項１乃至４のいずれか１項に記載の眼科撮影装置。
【請求項６】
前記複数のＬＥＤ素子の光量を独立して制御する光量制御手段を有することを特徴とする請求項１乃至５のいずれか１項に記載の眼科撮影装置。
【請求項７】
前記光量制御手段は、前記複数のＬＥＤ素子の光量のばらつきを補正するように該複数のＬＥＤ素子の光量を独立して制御することを特徴とする請求項６に記載の眼科撮影装置。
【請求項８】
前記複数のＬＥＤ素子は、略リング状に且つ離散的に配置されることを特徴とする請求項１乃至７のいずれか１項に記載の眼科撮影装置。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
遊技領域に設けられた複数の始動領域のいずれかを遊技媒体が通過したことに基づいて、各々を識別可能な複数種類の識別情報を可変表示する可変表示手段を備え、前記識別情報の表示結果として予め定められた特定表示結果が導出表示されたときに、遊技者に有利な特定遊技状態に制御する遊技機であって、
遊技制御処理プログラムに基づき遊技機における遊技制御を実行する制御用ＣＰＵが内蔵された遊技制御用マイクロコンピュータと、
前記遊技制御用マイクロコンピュータに内蔵又は外付けされ、乱数値となる数値データを生成する乱数回路とを備え、
前記乱数回路は、
数値データを予め定められた手順により更新して出力する数値更新手段と、
前記数値更新手段から出力された数値データを乱数値として、前記複数の始動領域ごとに別個に取り込んで格納する複数の乱数値格納手段とを含み、
前記遊技制御用マイクロコンピュータは、
前記複数の始動領域のいずれかを遊技媒体が通過したときに、該遊技媒体が通過した始動領域にかかわらず共通の処理ルーチンにより、前記複数の乱数値格納手段のうち該遊技媒体が通過した始動領域に対応する乱数値格納手段から乱数値を読み出す乱数読出手段と、
前記乱数読出手段によって読み出された乱数値に基づいて、前記特定遊技状態に制御するか否かを、前記識別情報の表示結果が導出表示される以前に決定する事前決定手段と、
所定信号の入力に基づいて前記数値更新手段から出力された数値データが前記複数の乱数値格納手段のいずれかに格納されたときに該格納された乱数値格納手段に対応してオン状態にされて新たな数値データの該乱数値格納手段への格納を制限する一方、該乱数値格納手段に格納された数値データが乱数値の読出タイミングにて前記乱数読出手段により読み出されたときにオフ状態にされて新たな数値データの格納を許可する所定のフラグと、
前記制御用ＣＰＵによる遊技制御が開始されるときに、前記所定のフラグをオフ状態にする制御開始時処理手段とを含む、
ことを特徴とする遊技機。
【手続補正２】
【補正対象書類名】明細書
【補正対象項目名】０００８
【補正方法】変更
【補正の内容】
【０００８】
上記目的を達成するため、本願の請求項に係る遊技機は、遊技領域に設けられた複数の始動領域（例えば普通入賞球装置６Ａが形成する第１始動入賞口や普通可変入賞球装置６Ｂが形成する第２始動入賞口など）のいずれかを遊技媒体（例えば遊技球など）が通過したことに基づいて、各々を識別可能な複数種類の識別情報（例えば特別図柄など）を可変表示する可変表示手段（例えば第１及び第２特別図柄表示装置４Ａ、４Ｂなど）を備え、前記識別情報の表示結果として予め定められた特定表示結果（例えば大当り図柄など）が導出表示されたときに、遊技者に有利な特定遊技状態（例えば大当り遊技状態など）に制御する遊技機（例えばパチンコ遊技機１など）であって、遊技制御処理プログラムに基づき遊技機における遊技制御を実行する制御用ＣＰＵ（例えばＣＰＵ５０５など）が内蔵された遊技制御用マイクロコンピュータ（例えば遊技制御用マイクロコンピュータ１００など）と、前記遊技制御用マイクロコンピュータに内蔵又は外付けされ、乱数値となる数値データを生成する乱数回路（例えば乱数回路５０９など）とを備え、前記乱数回路は、数値データを予め定められた手順により更新して出力する数値更新手段（例えば乱数生成回路５５３や乱数列変更回路５５５など）と、前記数値更新手段から出力された数値データを乱数値として、前記複数の始動領域ごとに別個に取り込んで格納する複数の乱数値格納手段（例えば乱数値レジスタ５５９Ａ（Ｒ１Ｄ）や乱数値レジスタ５５９Ｂ（Ｒ２Ｄ）など）とを含み、前記遊技制御用マイクロコンピュータは、前記複数の始動領域のいずれかを遊技媒体が通過したときに、該遊技媒体が通過した始動領域にかかわらず共通の処理ルーチンにより、前記複数の乱数値格納手段のうち該遊技媒体が通過した始動領域に対応する乱数値格納手段から乱数値を読み出す乱数読出手段（例えばＣＰＵ５０５がステップＳ２０４やステップＳ２０８の始動口通過時処理にてステップＳ５０１〜Ｓ５１２の処理を実行する部分など）と、前記乱数読出手段によって読み出された乱数値に基づいて、前記特定遊技状態に制御するか否かを、前記識別情報の表示結果が導出表示される以前に決定する事前決定手段（例えばＣＰＵ５０５がステップＳ２３１の処理を実行する部分など）と、所定信号（例えば第１始動入賞信号ＳＳ１や第２始動入賞信号ＳＳ２に基づく乱数ラッチ信号ＬＬ１、ＬＬ２など）の入力に基づいて前記数値更新手段から出力された数値データが前記複数の乱数値格納手段のいずれかに格納されたときに該格納された乱数値格納手段に対応してオン状態にされて新たな数値データの該乱数値格納手段への格納を制限する一方、該乱数値格納手段に格納された数値データが乱数値の読出タイミングにて前記乱数読出手段により読み出されたときにオフ状態にされて新たな数値データの格納を許可する所定のフラグ（例えば乱数ラッチフラグＲＤＦＭ１、ＲＤＦＭ２など）と、前記制御用ＣＰＵによる遊技制御が開始されるときに、前記所定のフラグをオフ状態にする制御開始時処理手段（例えばＣＰＵ５０５がステップＳ５６、Ｓ１２１、Ｓ１２３の処理を実行する部分など）とを含む。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
制御基板と、当該制御基板を収容する基板ボックスとを備えた遊技機であって、
前記基板ボックスは、
第１構成部材及び第２構成部材からなるとともに、
前記第１構成部材に設けられた第１係合部と、前記第２構成部材に設けられた第２係合部と備え、
前記両係合部が係合して前記第１構成部材と前記第２構成部材とが連結状態となった場合に、その内部に前記制御基板及び前記両係合部が配置された状態となる構成であって、
前記制御基板が配置される基板収容空間と、前記両係合部が配置される係合部収容空間とを仕切る隔壁部を備えたことを特徴とする遊技機。
【請求項２】
前記第１構成部材と前記第２構成部材とを相対変位させることにより、前記第１係合部と前記第２係合部とが係合することを特徴とする請求項１に記載の遊技機。
【請求項３】
前記第１係合部及び前記第２係合部のうち一方に、前記第１構成部材と前記第２構成部材とを所定の封印方向へ相対変位させることで、所定の非係合方向へ弾性変形して他方と係合可能となる係合片を備え、
前記係合片は、
前記封印方向とは反対となる開封方向へ前記第１構成部材と前記第２構成部材とを相対変位させた際、前記第１係合部及び前記第２係合部のうち一方からの応力により、前記非係合方向とは反対となる係合方向へ弾性変形することを特徴とする請求項２に記載の遊技機。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
制御基板と、当該制御基板を収容する基板ボックスとを備えるとともに、
前記基板ボックスが、当該基板ボックスのうち前記制御基板を収容するボックス本体部の外側に当該ボックス本体部を封印する封印手段を備え、当該ボックス本体部から前記封印手段を切離すことにより開封可能となる遊技機であって、
前記ボックス本体部は、
第１構成部材と第２構成部材とからなり、
前記封印手段は、
前記第１構成部材の外側に突出形成されかつ内側に連通した中空の第１連結部と、前記第２構成部材から突出形成された第２連結部とからなり、
前記第１構成部材と前記第２構成部材とを組付けるにあたり、前記第２連結部が前記第１構成部材の内側から前記第１連結部の内部に挿し込まれ、当該第１連結部の内部に設けられた第１係合部と、前記第２連結部に設けられた第２係合部とが係合する構成となっていることを特徴とする遊技機。
【請求項２】
前記第１連結部は、第１切離部を介して第１構成部材に一体形成され、
前記第２連結部は、第２切離部を介して第２構成部材に一体形成され、
前記第１切離部と前記第２切離部とが重畳して配設されることを特徴とする請求項１に記載の遊技機。
【請求項３】
前記第１切離部及び前記第２切離部は、断面略Ｌ字状又は凹字状に重畳する範囲を有することを特徴とする請求項２に記載の遊技機。